(57)【要約】【課題】排泄物の処理を迅速かつ容易に行うことのできる簡易トイレを提供する。【解決手段】本発明に係る簡易トイレ１は、座板１７の下方に設けられて便器バケツ５を収納すると共に、便器バケツ５を収納した状態で便器バケツ５の周縁を囲むように設けられ、排泄物収納袋３１の開口縁部を着脱自在に仮止めする仮止め部材３９を備えた便器受け部材７と、持ち手４５を備え、取り出し可能に便器受け部材７に収納される便器バケツ５とを備え、排泄物収納袋３１を、便器バケツ５の内面を覆うように装着して、排泄物収納袋３１の開口縁部を仮止め部材３９に仮止めして使用し、排泄物収納袋３１を処理する際には便器バケツ５の持ち手４５を持って便器バケツ５を上方に持ち上げることで、排泄物収納袋３１の仮止めを外して、便器バケツ５に排泄物収納袋３１を収納した状態で取り出すようにしたことを特徴とするものである【選択図】  図１
2019055094.tif 000002
【特許請求の範囲】
【請求項１】
椅子本体に開閉可能に設けた座板の下方に、便器バケツを取り出し可能に収納できる簡易トイレであって、
座板の下方に設けられて前記便器バケツを収納すると共に、前記便器バケツを収納した状態で前記便器バケツの周縁を囲むように設けられて前記便器バケツの内面を覆うように装着された排泄物収納袋の開口縁部を着脱自在に仮止めする仮止め部材を備えた便器受け部材と、
持ち手を備え、取り出し可能に前記便器受け部材に収納される便器バケツとを備え、
前記排泄物収納袋を、前記便器バケツの内面を覆うように装着して、該排泄物収納袋の開口縁部を前記仮止め部材に仮止めして使用し、該排泄物収納袋を処理する際には便器バケツの前記持ち手を持って該便器バケツを上方に持ち上げることで、前記排泄物収納袋の仮止めを外して、便器バケツに前記排泄物収納袋を収納した状態で取り出せるようにしたことを特徴とする簡易トイレ。
【請求項２】
前記仮止め部材は、前記排泄物収納袋の周縁を押し込んで係止させる係止溝を有する軟質部材からなり、
前記便器受け部材は、開口部の周縁部に前記仮止め部材を取り外し可能に装着する溝部を有することを特徴とする請求項１記載の簡易トイレ。
【請求項３】
前記仮止め部材は、複数の係止溝を有する帯状の軟質部材からなり、前記溝部は前記開口部の周縁部を囲むように形成されていることを特徴とする請求項２に記載の簡易トイレ。
【請求項４】
前記仮止め部材は、前記溝部の壁部に係止する係止部を有し、該係止部は前記排泄物収納袋が前記便器バケツによって引き上げられて前記排泄物収納袋の仮止めが外れるときには外れない係止力を備えていることを特徴とする請求項２又は３に記載の簡易トイレ。
【発明の詳細な説明】
【技術分野】
【０００１】
本発明は、室内に載置して、例えば歩行が困難な要介護者や高齢者等の使用に供される簡易トイレに関する。
【背景技術】
【０００２】
簡易トイレは、後端を椅子本体に枢着した開閉可能な座板及び便座の下方に、便器を設置し、排泄物を便器に直接溜めるようにしたものが一般的である。
しかし、この場合、介護者等が便器内の排泄物を洗浄しなければならず、介護者の作業の負担が大きいのみならず、要介護者及び介護者の双方にとって精神的な負担も大きい。
【０００３】
そこで、便器内に取り出し可能な排泄物収納袋を設置し、かつ排泄物収納袋の取り付けと取り外しを容易にできるようにした簡易トイレが、特許文献１に開示されている。
特許文献１に開示された簡易トイレは、「便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする」（請求項１参照）ものである。
【０００４】
上記の例では、排泄物収納袋の一部を便器の上縁に設けた係止孔に係止する例であるが、特許文献１には係止孔を設ける部位として、便器とは別体の上縁構成部材、便器受け、便器を支持する便器受け、便器を取り付けた椅子の座部に設ける例が示されている。
そして、排泄物の処理をする際には、排泄物収納袋のみを取り外して、結着用紐を締め付けて排泄物収納袋の開口部を閉じるようにすると記載されている。
【先行技術文献】
【特許文献】
【０００５】
【特許文献１】特開２００５−１１８１７８号公報
【発明の概要】
【発明が解決しようとする課題】
【０００６】
特許文献１に開示のものは、排泄物収納袋のみを取り出すという発想であるため、以下のような課題がある。
まず、排泄物収納袋の開口部周縁を便器の上縁等に押し込んで係止しているが、係止箇所は複数であり、かつずれないように係止していることから、排泄物収納袋の取り出しの際に各係止を外すのが手間である。
特に、排泄物の処理に際しては、椅子の座板を跳ね上げて開放すると、臭気が室内に出るため、排泄物収納袋の取り外しは迅速にしなければならず、この点からも作業性が悪いと言う問題がある。
【０００７】
また、特許文献１のものでは、排泄物収納袋を取り出した後、結着用紐を締め付けるという作業があるが、この作業も排泄物収納袋を持って行う必要があり、臭気等の関係から作業者にとって必ずしも容易な作業とはいえない。特に、臭気が室内にこもらないようにするには、迅速な作業が要求されるため、作業者にとって作業性が良いとは言い難い。
【０００８】
本発明はかかる課題を解決するためになされたものであり、排泄物の処理を迅速かつ容易に行うことのできる簡易トイレを提供することを目的としている。
【課題を解決するための手段】
【０００９】
（１）本発明に係る簡易トイレは、椅子本体に開閉可能に設けた座板の下方に、便器バケツを取り出し可能に収納できるものであって、
座板の下方に設けられて前記便器バケツを収納すると共に、前記便器バケツを収納した状態で前記便器バケツの周縁を囲むように設けられて前記便器バケツの内面を覆うように装着された排泄物収納袋の開口縁部を着脱自在に仮止めする仮止め部材を備えた便器受け部材と、
持ち手を備え、取り出し可能に前記便器受け部材に収納される便器バケツとを備え、
前記排泄物収納袋を、前記便器バケツの内面を覆うように装着して、該排泄物収納袋の開口縁部を前記仮止め部材に仮止めして使用し、該排泄物収納袋を処理する際には便器バケツの前記持ち手を持って該便器バケツを上方に持ち上げることで、前記排泄物収納袋の仮止めを外して、便器バケツに前記排泄物収納袋を収納した状態で取り出せるようにしたことを特徴とするものである。
【００１０】
（２）また、上記（１）に記載のものにおいて、前記仮止め部材は、前記排泄物収納袋の周縁を押し込んで係止させる係止溝を有する軟質部材からなり、
前記便器受け部材は、開口部の周縁部に前記仮止め部材を取り外し可能に装着する溝部を有することを特徴とするものである。
【００１１】
（３）また、上記（２）に記載のものにおいて、前記仮止め部材は、複数の係止溝を有する帯状の軟質部材からなり、前記溝部は前記開口部の周縁部を囲むように形成されていることを特徴とするものである。
【００１２】
（４）また、上記（２）又は（３）に記載のものにおいて、前記仮止め部材は、前記溝部の壁部に係止する係止部を有し、該係止部は前記排泄物収納袋が前記便器バケツによって引き上げられて前記排泄物収納袋の仮止めが外れるときには外れない係止力を備えていることを特徴とするものである。
【発明の効果】
【００１３】
本発明においては、排泄物収納袋を便器バケツの内面を覆うように装着して、排泄物収納袋の開口縁部を仮止め部材に仮止めして使用し、排泄物収納袋を処理する際には便器バケツの前記持ち手を持って便器バケツを上方に持ち上げることで、排泄物収納袋の仮止めを外して、便器バケツに前記排泄物収納袋を収納した状態で取り出すようにしたことで、排泄物の処理時において、室内で行う作業を極めて迅速に行うことができ、室内への臭気漏れを可及的に抑えることできる。
【図面の簡単な説明】
【００１４】
【図１】本発明の一実施の形態に係る簡易トイレの分解斜視図である。
【図２】図１に示した簡易トイレから便器バケツを取り外した状態の斜視図である。
【図３】図１に示した簡易トイレにおける便器受け部材に便器バケツを収納した状態の斜視図である。
【図４】図３に示す便器受け部材から仮止め部材を取り外した状態の斜視図である。
【図５】図１に示した簡易トイレにおける便器受け部材に便器バケツを収納した状態の平面図である。
【図６】図５の矢視Ａ−Ａ断面図である。
【図７】図５の矢視Ｂ―Ｂ断面図である。
【発明を実施するための形態】
【００１５】
本実施の形態に係る簡易トイレ１は、図１に示すように、椅子本体３に開閉可能に設けた座板１７の下方に取り出し可能な便器バケツ５を備えたものであって、座板１７の下方に設けられて便器バケツ５を収納する便器受け部材７と、便器受け部材７に収納される便器バケツ５と、便器バケツ５に装着される排泄物収納袋３１（図６、図７参照）とを備えている。
以下、各構成を詳細に説明する。
【００１６】
＜椅子本体＞
椅子本体３は、図１に示すように、本体部９と、本体部９を支持する脚部１１と、本体部９の後方に設けられた背凭れ１３と、背凭れ１３の側部に設けられた肘掛１５と、本体部９の後方に枢着されて開閉自在に設けられた座板１７とを備えている。
【００１７】
＜便器受け部材＞
便器受け部材７は、本体部９の座板１７の下方に装着されて、便器バケツ５を収納するものであって、矩形状の枠部１９と、枠部１９に連続して下方に凹陥する便器バケツ収納部２１とを備えている。
便器バケツ収納部２１は、便器バケツ５を収納した状態で便器バケツ５の開口上端部が枠部１９の高さ以下になるように設定されている。このように設定することで、便器バケツ５を収納した状態で排泄物収納袋３１を仮止めし易くなる。
【００１８】
便器受け部材７の底部は、周囲が凹陥して中央が盛り上がった形状をしており（図６参照）、仮に便器受け部材７内に汚水が入っても便器バケツ５の底部に付着し難くしている。このため、便器バケツ５の取り出しの際に、底部に付着した汚水によって部屋が汚されるのを防止できる。
便器受け部材７の枠部１９の後部には、図２に示すように、便座２３が開閉自在に取り付けられている。
【００１９】
また、便器受け部材７の枠部１９の後部中央部には、便器バケツ５の持ち手４５を支持する持ち手支持部２５が設けられ、持ち手支持部２５には、図１、図４に示すように、凹陥部２７が設けられ、収納している便器バケツ５を取り出す際に便器バケツ５の持ち手４５を持ち易くしている。
便器受け部材７の枠部１９には、その上面に図４に示すように、後述する仮止め部材３９を装着するための断面が矩形状の溝部２９が設けられており、溝部２９は、便器受け部材７の前方側と後方側で２分割されている。
【００２０】
また、溝部２９の端部には、便器受け部材７の内側に開口する切欠き３３が設けられており、洗浄した際の洗浄水が貯留しないようになっている。
さらに、溝部２９の内側の溝壁には、後述する仮止め部材３９の係止凸部４３が係止する係止孔３５が設けられている（図４参照）。
切欠き３３の開口を便器受け部材７の内側に設け、また係止孔３５を溝部２９の内側の溝壁に設けているのは、溝部２９に付着した汚水等が外側に漏れないようにするためである。
【００２１】
溝部２９には、排泄物収納袋３１の周縁を押し込んで仮止めする係止溝３７を有するシリコンゴム等の軟質部材からなる帯状の仮止め部材３９が着脱可能に装着されている。
仮止め部材３９は、図４に示すように、前方側の溝部２９に装着される前方仮止め部材３９ｆと、後方側の溝部２９に装着される後方仮止め部材３９ｂの２つから構成されている。仮止め部材３９は、軟質部材からなるため溝部２９に沿って装着され、前方仮止め部材３９ｆは装着状態で略半円状をしており、後方仮止め部材３９ｂは装着状態で略コ字状をしている。
仮止め部材３９が２つに分かれることで、取り外しが容易になっており、清掃がやり易いという効果が得られている。もっとも、仮止め部材３９の分割数は２つに限られず、３つ以上であってもよい。もっとも、あまり分割数が多くなると取り外しが面倒なので、２つ又は３つで構成するのがより好ましい。
【００２２】
係止溝３７は、図４の一部拡大図に示すように、ジグザグ状の切り込みからなり、この切り込みに排泄物収納袋３１の周縁を押し込むことで、排泄物収納袋３１を仮止めすることができる。
係止溝３７は、図４に示すように、前方仮止め部材３９ｆに５箇所と、後方仮止め部材３９ｂに２箇所設けられている。後方仮止め部材３９ｂに設ける係止溝３７は、両側辺に２箇所設け、後辺には設けていない。この理由は、便器バケツ５を収納した状態で便器バケツ５の持ち手４５が後方側に配置されるので、後方側では排泄物収納袋３１の仮止めをしないようにすることで、排泄物収納袋３１を仮止めした状態で排泄物収納袋３１を避けて便器バケツ５の持ち手４５を持ちやすくするためである。
また、後方仮止め部材３９ｂの後辺中央部には凹部４１を設けて、便器バケツ５の持ち手４５へのアプローチをし易くしている。
【００２３】
仮止め部材３９の内周面部には、溝部２９の係止孔３５に係止する係止部としての係止凸部４３が設けられている（図４参照）。
係止凸部４３の係止力は、排泄物収納袋３１が便器バケツ５によって引き上げられて排泄物収納袋３１の仮止めが外れるときには外れない係止力を備えている。
【００２４】
＜便器バケツ＞
便器バケツ５は、便器受け部材７に収納可能な形状で、持ち手４５を有している。持ち手４５は、便器バケツ５を便器受け部材７から取り出す際に持つため、便器バケツ５を便器受け部材７に収納した状態で、便器受け部材７の枠部１９の持ち手支持部２５に支持されるようになっている。
便器バケツ５は、図２に示すように、蓋４７を有しているのが好ましく、蓋４７をした状態で便器受け部材７に収納できるものがさらに好ましい。
なお、便器バケツ５の形状は特に限定されるものではない。
【００２５】
＜排泄物収納袋＞
排泄物収納袋３１は、市販のものを使用することができるが、袋とじ紐や内部に消臭材を有するものが好ましい。
【００２６】
以上のように構成された簡易トイレ１の使用方法を説明する。
便器受け部材７に便器バケツ５を収納した状態で、図６、図７に示すように、便器バケツ５の内面を覆うように排泄物収納袋３１を装着する。
そして、排泄物収納袋３１の開口縁部を仮止め部材３９の係止溝３７に押し込むことで排泄物収納袋３１を仮止めする。そして、便器バケツ５に蓋４７をした状態にしておく、
【００２７】
使用者が用を足す際には、座板１７を跳ね上げて、蓋４７を外した状態で行う。このとき、排泄物は便器バケツ５に直接触れることなく、排泄物収納袋３１に収納される。
排泄物を処理する際には、座板１７と便座２３を開放し（図２参照）、便器バケツ５に蓋４７をした状態で、便器バケツ５の持ち手４５を持って上方に持ち上げる。
便器バケツ５が上方に持ち上げられると、排泄物収納袋３１が便器バケツ５によって引き上げられ、開口縁部の全ての仮止めが外れる。これによって、便器バケツ５は排泄物収納袋３１を収納した状態で便器受け部材７から取り出せる。
【００２８】
このように、複数箇所の仮止めが、便器バケツ５を持ち上げるという動作だけで簡単に外れ、この動作は、座板１７と便座２３を開放して、便器バケツ５を持ち上げるだけであり、瞬時に完了し、作業性にすぐれ、臭気が部屋に漂うことがない。
【００２９】
蓋４７を被せた便器バケツ５は、処理場所に搬出するが、便器バケツ５の搬出であるため、排泄物収納袋３１を搬出するのに比較して、安定して運びやすい。排泄物の処理場所では便器バケツ５の蓋４７を開けて、排泄物収納袋３１を取り出して、封をする等をすればよい。処理場所であれば、多少の臭気が外にもれても問題はない。
【００３０】
以上のように、本実施の形態の簡易トイレ１においては、排泄物収納袋３１を便器バケツ５の内面を覆うように装着して、排泄物収納袋３１の開口縁部を仮止め部材３９に仮止めして使用し、排泄物収納袋３１を処理する際には便器バケツ５の持ち手４５を持って便器バケツ５を上方に持ち上げることで、排泄物収納袋３１の仮止めを外して、便器バケツ５に排泄物収納袋３１を収納した状態で取り出すようにしたことで、排泄物の処理時において、室内で行う作業を極めて迅速に行うことができ、室内への臭気漏れを可及的に抑えることできる。
【００３１】
また、本実施の形態の簡易トイレ１においては、便器受け部材７の開口部の周縁部を囲むように溝部２９を形成し、溝部２９に軟質部材からなる２つの仮止め部材３９（前方仮止め部材３９ｆ、後方仮止め部材３９ｂ）を着脱可能に装着するようにしたので、掃除の際には、各仮止め部材を簡単に取り外すことができ、掃除が極めて簡単である。
【００３２】
なお、本実施の形態の簡易トイレ１は、上述したように排泄物収納袋３１と便器バケツ５を併用することでその機能を発揮できるものであるが、排泄物収納袋３１を使用しないで、従来のように便器バケツ５のみでの使用も可能である。
この場合には、仮止め部材３９が汚れるのを防止するために、仮止め部材３９を外して使用するのが好ましい。
また、便器バケツ５を用いないで、排泄物収納袋３１のみを使用することも可能である。
【符号の説明】
【００３３】
１  簡易トイレ
３  椅子本体
５  便器バケツ
７  便器受け部材
９  本体部
１１  脚部
１３  背凭れ
１５  肘掛
１７  座板
１９  枠部
２１  便器バケツ収納部
２３  便座
２５  持ち手支持部
２７  凹陥部
２９  溝部
３１  排泄物収納袋
３３  切欠き
３５  係止孔
３７  係止溝
３９  仮止め部材
３９ｆ  前方仮止め部材
３９ｂ  後方仮止め部材
４１  凹部
４３  係止凸部
４５  持ち手
４７  蓋
【図１】
2019055094.tif 000003
【図２】
2019055094.tif 000004
【図３】
2019055094.tif 000005
【図４】
2019055094.tif 000006
【図５】
2019055094.tif 000007
【図６】
2019055094.tif 000008
【図７】
2019055094.tif 000009